(57)【要約】【課題】水（Ｈ２Ｏ）を、光合成を通じて、活性水素水を作り、それをもって水を浄化する装置である。【解決手段】片面をガラスにした収納ボックスのガラス面側に、赤外線ＬＥＤと集光器具（集光カバー）をセットにして取り付ける。  これと同じものを３ｃｍ離して相向い会い、格子状の固定金具に取り付ける。電源は本体と別途の漏電ブレイカー（ＥＬＢ）の系統のコンセントに差し込み、電源ランプの点灯を確認してから、ＬＥＤの通電スイッチを入れる。通電表示灯が点灯しているのを確認する。【選択図】図１
2016179463.tif 000002
【特許請求の範囲】
【請求項１】
光触媒を使用せず、ＬＥＤを光源として、水中での光合成を通じて、活性水素水を製造する特徴を持つ淡水浄化装置。
【請求項２】
光触媒を使用せず、赤外線ＬＥＤ（４００ｎｍ〜２，５００ｎｍ）を光源として、水中での光合成を通じて、活性水素水を製造する特徴を持つ淡水浄化装置。
【請求項３】
光触媒を使用せず、赤外線ＬＥＤ（４００ｎｍ〜２，５００ｎｍ）を光源として集光器具（集光カバー）を利用して水中での光合成を通じて、活性水素水を製造する特徴を持つ淡水浄化装置。
【請求項４】
ＬＥＤ（フイリップＬＥＤ「Ｇｒｅｅｎ  Ｐｏｗｅｒ  ＬＥＤ」シーシーエス株式会社同等品）を光源として、水中での光合成を通じて、活性水素水を製造する特徴を持つ淡水浄化装置。
【発明の詳細な説明】
【技術分野】
【０００１】本発明は、金魚水等淡水の浄化を目的として赤外線ＬＥＤを光源として水中に照射し、光合成を通うして魚の住んでいる水の浄化をする装置である。
【背景技術】
【０００２】従来、金魚水等の浄化は水中ポンプ等によって水を循環してろ過材を透して不純物を取り除いてきた、そして活性炭などで水質を調整して再び水槽に戻すなどして浄化してきた。  これらは、要は水中に魚に必要な酸素が欠乏してきたので、酸化した不純物を取り除き、新しくフレッシュな水を魚に与えようとするシステム装置である。  さらに、水中に投入して酸素を発生する錠剤なども売っている。
今回発明した装置では、これらの問題点を一挙に解決できるものである。  ただ、水中での不純物の除去はできないが、邪魔にならなければなる程度放置していても問題ない。  金魚鉢などの場合は汚れが目立つので取り除く方が良い。  また、この発明では魚には大変良いマイナスイオンや水素原子、酸素原子が含まれているので魚の成長が良い。
この発明した装置から発生する物質を次に示すと下記のようになる。
（Ｏ２−−  ＋  ２Ｈ２Ｏ  ＋  ４ｅ−  ＋  ４Ｈ＋）
【先行技術文献】
【特許文献】
【０００３】これに似たものはない。  ただ、紫外線ＬＥＤで水を浄化しているものはあるが、紫外線では有害なトリハロメタンが生じる。
また、トルマリンの働きでマイナスイオンや水分の電気分解をして、いろいろな効果を出しているが、これはトルマリン石の効果であって特許文献ではない。
【発明の概要】
【発明が解決しようとする課題】
【０００４】水中で魚が酸素を取り入れ不純物（酸化物）を放出する。さらに、エサなどの残り物も酸化して不純物として水中に溜まっている。  これらは、さらに腐敗（腐食）が進むのに酸素を必要とする。  そうすることで水中の溶存酸素が少なくなる。  水質の悪化が進む。  要するにＢＯＤ（酸素要求度）の悪化である。  これを解決するのには、酸素の補充と還元剤である水素イオンを水中に入れてやることである。  マイナスイオンは動物（生き物）にとって気分の良い刺激物である。  それで、  発明が解決しようとする課題は水質の浄化と魚の気分を良くすることである。
【課題を解決するための手段】
【０００５】金魚水等淡水浄化装置としての基本構造は次による。
（イ）水槽の中（水中）に淡水浄化装置を入れる。  淡水浄化装置に通電すると赤外線ＬＥＤが点灯する。
（ロ）赤外線ＬＥＤ電灯列を３ｃｍ離したところで、向い会った状態にして、集光器具を経由して赤外線ＬＥＤの光子をぶつけ合う（向い会ったＬＥＤ電灯列からの照射）。
（ハ）一つの赤外線ＬＥＤ列は一つのボックス内に収め、前面（照射する面）はガラス面とする。  同じく対面の赤外線ＬＥＤ列も同じ構造とする。
（ニ）両方の赤外線ＬＥＤ電灯列を格子状の構造物（材質は鋼材かプラスチック）で固定する。  その間を水が通過したり、上昇したり出来るようにしておく。
（ホ）浄化は常時しておくため、常時通電して光合成を行う、微小であるため照射面積を大きくすることと、できるだけ長く照射する。
（ヘ）６ケ月位の間隔で不純物を取り替えるため、水の入れ替えを行う。
【発明の効果】
【０００６】（イ）水中の酸化を防ぐ。  不純物（酸化物）の還元作用を起こす。
（ロ）水中の酸素の補充。  ＢＯＤ（酸素要求度）を下げる。
（ハ）魚（生き物）の好むマイナスイオンを発生して魚を成長させる。
（ニ）金魚水の浄化だけでなく、生き物の飲料水の浄化に良い。
（ホ）この水を使うと、魚を新鮮に保つことができる。（鮮度が良い。）
（ヘ）魚の移送に良い。
（ト）塩水魚（海の魚）でも、死んでいればこの水で鮮度良く移送できる。
【図面の簡単な説明】
【０００７】
【図１】  本発明の斜視図である。
【図２】  本発明の一部を切り欠いた側面図である。
【図３】  本発明の他の実施例を示した斜視図である。
【発明を実施するための形態】
【０００８】以下に本発明の金魚水淡水浄化装置のメカニズムについて詳細に説明する。
浄化する方法は活性水素水（Ｏ２−−＋２Ｈ２Ｏ＋４ｅ−＋４Ｈ＋）を使う。
ＬＥＤ（赤色、青色、白色、黄色、緑色）がある。一番適しているのが赤色ＬＥＤであるが、他の色のＬＥＤでも効率が落ちるが可能である。そして、水中で赤外線ＬＥＤ（波長は４００ｎｍ〜２，５００ｎｍ）の光合成を利用して、活性水素水を作るものであるため、できるだけ光束の密度を上げる工夫をした。  それは、集光器具を付けた赤外線ＬＥＤ列２列で一対として１列側と２列側を向き合わせて照射する。  赤外線ＬＥＤ列と集光器具を一セットとしてケースに入れ、ガラス面から相手側に向かって照射する。  間隔は３ｃｍ位なので中央の１．５ｃｍ位で衝突して光合成ができる。  （乱反射などあるため理論道理できないが集光器具でエネルギー密度を上げているので、必ずできる）。
光子→←光子…−−−−−−＋陽子  ＋  −陽子
（光合成反応）              （２Ｈｅ  →  ジプロトン）
本発明の第一の反応は水中（Ｈ２Ｏ）で光子が光合成によって２Ｈｅ（ジプロトン）が発生する。  この＋陽子と−陽子によって一部水（Ｈ２Ｏ）が活性水素（Ｈ＋）と水酸化物イオン（ＯＨ−）に変化する。
Ｈ２Ｏ＋２Ｈｅ  →  Ｈ２Ｏ  ＋  Ｈ−  ＋  Ｈ＋
→  ＯＨ−  ＋  Ｈ＋  ＋  Ｈ−  ＋  Ｈ＋
本発明の第二の反応は、水酸化物イオン（ＯＨ−）が酸素と水に変化する。
４（ＯＨ−）＋４Ｈ＋  ４Ｈ−  ＋  ４Ｈ＋  →  Ｏ２  ＋  ２Ｈ２Ｏ  ＋  ４ｅ−                                                                    ＋  ４Ｈ＋
このように赤外線ＬＥＤの光合成によって酸素Ｏ２−−と４Ｈ＋と４ｅ−が入った水ができる。
【構造】
【０００９】片面をガラス面にした長方形のボックス内に、赤外線ＬＥＤに集光器具を付けたものをガラス面側に取り付ける。（１列側とする）、  ３ｃｍ離して対面に１列側と同じものを向い合わせに金具で取り付ける。
電源は単相１００Ｖ，２００ＶやＡＣ−ＤＣアダプター定格出力１２Ｖでも良いが、使用ＬＥＤ器具に合わす。  漏電のないように電線の漏水などに注意する。  また、電源側にはＥＬＢ（漏電ブレイカー）を必ず設置する。
光が漏れないようにカバーを適切被せる。
【本発明を使用するときは以下の手順で行う】
【００１０】（イ）水中に金魚水淡水浄化装置を入れる。  出来るだけ下部が良い。
（ロ）電気のスイッチを入れ、表示用のＬＥＤ（赤色）の点灯を確認する。  電気は電池を使用しても良いが、家庭での使用を予想して単相  １００Ｖ及び２００Ｖ  とする。
（ハ）浄化装置なので、金魚等を飼育している時は常に電源を入れておく。
（ニ）水替えや不純物の除去等の時まで運転する。
【符号の説明】
【００１１】  １．赤外線ＬＥＤと集光器具入れ収納ボックス、一面ガラス。
２．赤外線ＬＥＤ
３．集光器具（集光カバー）
４．電源表示灯  青色
５．通電表示灯  赤色
６．通電スイッチ
７．格子状固定金具
８．電源プラグ
【図１】
2016179463.tif 000003
【図２】
2016179463.tif 000004
【図３】
2016179463.tif 000005